(57)【要約】【課題】テレビジョン受信機１の音量を操作用リモコン２により簡単な操作で最低音量状態の設定及び設定解除状態にし、画像表示面に最低音量時である旨の表示を必要最低限にするようにしたテレビジョン装置を提供する。【解決手段】テレビジョン受信機１と、テレビジョン受信機１を遠隔制御する操作用リモコン２を備えるテレビジョン装置であって、操作用リモコン２に消音ボタン１３を設け、消音ボタン１３を操作する度にテレビジョン受信機１の音量状態を通常状態Ｃ１→消音状態Ｃ２→最低音量状態Ｃ３→通常状態Ｃ１の順に変化させることができるようにした。【選択図】図２
2008172528.tif 000002
【特許請求の範囲】
【請求項１】
テレビジョン受信機と、テレビジョン受信機を遠隔制御する操作用リモコンとを備えるテレビジョン装置において、前記操作用リモコンに消音ボタンを設け、前記消音ボタンを操作する度にテレビジョン受信機の音量状態を通常音量状態→消音状態→最低音量状態→通常音量状態の順に変化させることができるものであることを特徴とするテレビジョン装置。
【請求項２】
前記消音ボタンの操作によってテレビジョン受信機の音量状態が最低音量状態になったとき、画像表示面に予め定められた一定時間に限って最低音量であることを示す表示が行われることを特徴とする請求項１に記載のテレビジョン装置。
【請求項３】
テレビジョン受信機と、テレビジョン受信機を制御する操作用リモコンとを備えるテレビジョン装置において、前記操作用リモコンに消音ボタンと最低音量設定ボタンとを設け、前記消音ボタンを操作する度にテレビジョン受信機の音量状態を非消音状態→消音状態→非消音状態に変化させ、前記最低音量設定ボタンを操作する度に非最低音量状態→最低音量状態→非最低音量状態に変化させることができるものであることを特徴とするテレビジョン装置。
【請求項４】
前記最低音量設定ボタンの操作によってテレビジョン受信機の音量状態が最低音量状態になったとき、画像表示面に予め定められた一定時間に限って最低音量であることを示す表示が行われることを特徴とする請求項３に記載のテレビジョン装置。
【発明の詳細な説明】
【技術分野】
【０００１】
本発明は、テレビジョン装置に係り、特に、テレビジョン受信機とそのテレビジョン受信機を遠隔制御する操作用リモコンとからなり、操作用リモコンにテレビジョン受信機の音量状態を消音状態及び最低音量状態に適宜切替設定できる操作ボタンを配置したテレビジョン装置に関する。
【背景技術】
【０００２】
一般にテレビジョン装置においては、テレビジョン受信機を遠隔制御できる操作用リモコンがテレビジョン受信機とセットになっている場合が多く、その操作用リモコンには、通常、放送受信バンドを選択できるバンド選択ボタンや受信チャネルを選択できるチャネル選択ボタンやテレビジョン受信機の音量を制御できる音量調整ボタン等が設けられており、ユーザがその操作用リモコンの所望のボタンを選択操作することにより希望する放送番組を希望する条件で聴取することができるものである。
【０００３】
そして、操作用リモコンには、その一部であるが、音量調整ボタンに加えて音声出力を一時的に消音状態にする消音ボタンを設けているものもある。この消音ボタンの機能は、通常音量で放送番組の視聴を行っているとき、この消音ボタンを操作押圧すると、それまでの通常音量の出力が停止され、消音状態となるものであり、それに加えて、通常、画像表示面にいま消音状態であることを示す文字や絵文字が表示される。
【０００４】
ここで、図５（ａ）、（ｂ）は、かかる消音状態になったときにテレビジョン受信機の画像表示面に現われる文字や絵文字の一例を示す説明図である。
【０００５】
図５（ａ）、（ｂ）に示されるように、操作用リモコンの消音ボタンを操作押圧したとき、画像表示面には消音状態であることを示す絵文字｛スピーカが非放声状態であることを示す絵文字、図５（ａ）参照｝あるいは文字｛消音であることを示す消音文字、図５（ｂ）参照｝が表示される。この後、このような表示時に再度消音ボタンを操作押圧すると、消音状態が解除されて消音状態になる以前の音量に戻され、消音状態であることを示す絵文字や文字の表示がなくなる。また、一部の操作用リモコンにおいては、消音状態を解除する際に、音量調整ボタンを操作押圧することによって解除することができるものがある。
【特許文献１】使用する特許文献はなし
【発明の開示】
【発明が解決しようとする課題】
【０００６】
従来のテレビジョン装置においては、前述のように操作用リモコンの消音ボタンを操作押圧したとき、音声出力が停止する消音状態になり、それと同時にテレビジョン受信機の画像表示面に消音状態にあることを示す絵文字または文字が表示されるものである。この際に表示される絵文字あるいは文字は、通常、再度操作用リモコンの消音ボタンが操作押圧されるか、または音量調整ボタンが操作押圧されるかするまで表示され続けることになる。
【０００７】
このため、テレビジョン受信機に内蔵または付属しているスピーカを用いずに、外部に接続したスピーカを利用してテレビジョン受信機の音声信号を放声したい場合、例えば、ＶＴＲやＤＶＤプレイヤから出力されたテレビジョン信号の内、画像信号をテレビジョン受信機に供給するとともに、音声信号をＡＶアンプに供給し、このＡＶアンプに外部接続したスピーカを利用して音声信号を放声する場合などにおいては、テレビジョン受信機の音声出力を操作用リモコンの消音ボタンの操作押圧により消音状態にすると、テレビジョン受信機の画像表示面に消音状態を示す絵文字または文字が表示され続けるため、テレビジョン受信機による画像信号の視聴の妨げになってしまうことになる。また、消音状態を示す絵文字または文字の表示を避けるため、操作用リモコンの音量調節ボタンの操作押圧によって音量を低下させた場合は、外部接続したスピーカによる視聴が終了し、テレビジョン受信機を再度元の音量に戻すため、音量調整ボタンの操作押圧が必要であり、全体的に操作が煩わしいものであった。
【０００８】
本発明は、このような技術的背景に鑑みてなされたもので、その目的は、テレビジョン受信機の音量を操作用リモコンを用いて簡単な操作で最低音量状態の設定及び設定解除状態にできるとともに、画像表示面への最低音量時である旨の表示を必要最低限にするようにしたテレビジョン装置を提供することにある。
【課題を解決するための手段】
【０００９】
前記目的を達成するするために、本発明によるテレビジョン装置は、テレビジョン受信機と、テレビジョン受信機を遠隔制御する操作用リモコンとを備えるものであって、操作用リモコンに消音ボタンを設け、その消音ボタンを操作する度にテレビジョン受信機の音量状態を通常音量状態→消音状態→最低音量状態→通常音量状態の順に変化させることができる第１の構成手段を備える。
【００１０】
この場合、前記第１の構成手段におけるテレビジョン装置は、消音ボタンの操作によってテレビジョン受信機の音量状態が最低音量状態になったとき、画像表示面に予め定められた一定時間に限って最低音量であることを示す表示が行われるものである。
【００１１】
また、前記目的を達成するするために、本発明によるテレビジョン装置は、テレビジョン受信機と、テレビジョン受信機を制御する操作用リモコンとを備えるものであって、操作用リモコンに消音ボタンと最低音量設定ボタンとを設け、消音ボタンを操作する度にテレビジョン受信機の音量状態を非消音状態→消音状態→非消音状態に変化させ、最低音量設定ボタンを操作する度に非最低音量状態→最低音量状態→非最低音量状態に変化させることができる第２の構成手段を備える。
【００１２】
この場合、前記第２の構成手段におけるテレビジョン装置は、最低音量設定ボタンの操作によってテレビジョン受信機の音量状態が最低音量状態になったとき、画像表示面に予め定められた一定時間に限って最低音量であることを示す表示が行われるものである。
【発明の効果】
【００１３】
以上説明したように、請求項１及び２に記載のテレビジョン装置によれば、操作用リモコンに消音ボタンを設け、その消音ボタンを操作する度にテレビジョン受信機の音量状態を通常状態→消音状態→最低音量状態→通常状態の順に変化させるようにしているので、操作用リモコンにおける消音ボタンのみの操作で最低音量状態の設定及び設定解除状態にすることができ、それによりテレビジョン受信機に内蔵または付属のスピーカから音声出力させずに、外部接続されたＡＶアンプ等に接続配置したスピーカから音声出力を視聴するような場合であっても、テレビジョン受信機の音量を消音ボタンの各１回の操作により最低音量状態の設定及びその設定の解除状態に変更させることができ、しかも、最低音量状態の設定時にテレビジョン受信機の画像表示面に視聴の妨げとならないような表示を行うようにしているので、テレビジョン視聴における利便性の向上を図ることができる。
【００１４】
また、請求項３及び４に記載のテレビジョン装置によれば、操作用リモコンに消音ボタン及び最低音量ボタンを設け、その最低音量ボタンを操作する度にテレビジョン受信機の音量状態を通常状態→最低音量状態→通常状態の順に変化させるようにしているので、操作用リモコンにおける最低音量ボタンのみの操作で最低音量状態の設定及び設定解除状態にすることができ、それによりテレビジョン受信機に内蔵または付属のスピーカから音声出力させずに、外部接続されたＡＶアンプ等に接続配置したスピーカから音声出力を視聴するような場合であっても、テレビジョン受信機の音量を最低音量ボタンの各１回の操作により最低音量状態の設定及びその設定の解除状態に変更させることができ、しかも、最低音量状態の設定時にテレビジョン受信機の画像表示面に視聴の妨げとならないような表示を行うようにしているので、テレビジョン視聴における利便性の向上を図ることができる。
【発明を実施するための最良の形態】
【００１５】
以下、図面を参照して本発明の実施の形態について説明する。
【００１６】
図１は、本発明によるテレビジョン装置の第１の実施の形態に係るもので、その要部構成を示すブロック回路図である。
【００１７】
図１に示されるように、このテレビジョン装置は、テレビジョン受信機１とそのテレビジョン受信機１を遠隔制御する操作用リモコン２とからなっている。この場合、テレビジョン受信機１は、少なくとも、チューナ３と、映像出力回路４と、音声出力回路５と、制御部６と、リモコン信号受信部７と、音量制御部８と、映像表示部９と、放声器１０と、電源回路１１と、受信アンテナ１２とを備えており、また、操作用リモコン２は、少なくとも消音ボタン１３を備え、その他に、図示されていない複数のチャネル選局ボタンや音量調整ボタンや電源開閉ボタン等の各種のボタンを備えている。
【００１８】
テレビジョン受信機１において、チューナ３は、入力端が受信アンテナ１２に接続され、第１出力端が映像出力回路４の入力端に接続され、第２出力端が音声出力回路５の入力端に接続される。映像出力回路４は、出力端が映像表示部９に接続され、音声出力回路５は、出力端が放声器１０に接続される。制御部６は、チューナ３の制御端と、映像出力回路４の制御端と、リモコン信号受信部７の出力端と、音量制御部８の制御入力端にそれぞれ接続される。リモコン信号受信部７は、入力端に操作用リモコン２からのリモコン信号が入力される。音量制御部８は、制御出力端が音声出力回路５の制御端に接続される。電源回路１１は、図示されていないが、その出力が電力を必要とする各構成部分に接続され、それらの構成部分にそれぞれ動作電力を供給する。
【００１９】
そして、テレビジョン受信機１において実行される通常の動作、例えば、選局動作、その選局に伴う映像表示部９による映像表示動作及び放声器１０による放音動作等は、この種のテレビジョン受信機で行われているよく知られた動作と同じであるので、ここではかかる動作についての説明を省略する。
【００２０】
次に、このテレビジョン受信機１で実行される操作用リモコン２を用いた放声音量制御動作、この場合、通常（音量）状態で動作しているテレビジョン受信機１を、消音状態及び最低音量状態に切替変更させるときの動作について説明する。
【００２１】
図２は、テレビジョン受信機１の放声音量を通常（音量）状態から消音状態を経て最低音量状態に、最低音量状態から通常（音量）状態に順次変更させる状態を表わす動作説明図である。
【００２２】
図２に示されるように、テレビジョン受信機１の放声音量が通常状態Ｃ１、すなわち当該ユーザがいつも使用している通常の音量状態で放声しているとき、操作用リモコン２にある消音ボタン１３を１回操作押圧すると、操作用リモコン２からその操作に対応したリモコン信号が出力される。このとき、テレビジョン受信機１は、リモコン信号受信部７がそのリモコン信号を受けると、そのリモコン信号が制御部６に供給され、それにより制御部６がそのリモコン信号をそれに対応した音声制御信号に変換して音量制御部８に供給するとともに、それに対応した映像付加信号に変換して映像出力回路４に供給する。音量制御部８は、その音声制御信号の供給に対応して音声出力回路５を通過する音声信号レベルを完全なゼロレベルに設定し、テレビジョン受信機１の放声音量を消音状態Ｃ２に変更させるとともに、映像出力回路４は、その映像付加信号の供給に対応して映像表示部９の一部に消音状態Ｃ２である旨の絵文字または文字を表示させる。
【００２３】
その後、テレビジョン受信機１の放声音量が消音状態Ｃ２にあるとき、操作用リモコン２にある消音ボタン１３をさらに１回操作押圧すると、操作用リモコン２からそのときの操作に対応したリモコン信号が出力される。このときも、テレビジョン受信機１は、リモコン信号受信部７がそのリモコン信号を受けると、そのリモコン信号が制御部６に供給され、それにより制御部６がそのリモコン信号をそれに対応した制御信号に変換して音量制御部８に供給するとともに、それに対応した映像付加信号に変換して映像出力回路４に供給する。音量制御部８は、その音声制御信号の供給に対応して音声出力回路５を通過する音声信号レベルをゼロレベルに近いレベルに設定し、テレビジョン受信機１の放声音量を最低音量状態Ｃ３、すなわち消音状態に近い最低音量状態Ｃ３に変更させるとともに、映像出力回路４は、その映像付加信号の供給に対応して映像表示部９の一部に表示されていた消音状態Ｃ２である旨の絵文字または文字を消去し、改めて最低音量状態Ｃ３である旨を示す文字等を表示させる。この場合、映像表示部９に表示された最低音量状態Ｃ３である旨を示す文字等は、最低音量状態Ｃ３に設定されているときであっても、一定時間だけ表示され、その一定時間が経過すると、自動的に消去される。
【００２４】
次いで、テレビジョン受信機１の放声音量が最低音量状態Ｃ３にあるとき、操作用リモコン２にある消音ボタン１３をさらにもう１回操作押圧すると、操作用リモコン２からそのときの操作に対応したリモコン信号が出力される。このときも、テレビジョン受信機１は、リモコン信号受信部７がそのリモコン信号を受けると、そのリモコン信号が制御部６に供給され、それにより制御部６がそのリモコン信号をそれに対応した無制御信号に変換して音量制御部８に供給する。音量制御部８は、その無制御信号の供給に対応して音声出力回路５を通過する音声信号レベルに対して外部制御が行われない状態に設定し、テレビジョン受信機１の放声音量を通常状態Ｃ１に復帰変更させる。このとき、映像出力回路４は、映像付加信号が供給されないので、映像表示部９に消音状態Ｃ２や最低音量状態Ｃ３である旨の表示は行われない。
【００２５】
この後も、操作用リモコン２にある消音ボタン１３を操作押圧すると、その操作押圧が行われる度に、テレビジョン受信機１の放声音量が通常状態Ｃ１から消音状態Ｃ２に、消音状態Ｃ２から最低音量状態Ｃ３に、最低音量状態Ｃ３から通常状態Ｃ１に順次切替えられる。
【００２６】
続く、図３は、本発明によるテレビジョン装置の第２の実施の形態に係るもので、その要部構成を示すブロック回路図である。
【００２７】
図３に示されるように、このテレビジョン装置は、テレビジョン受信機１とそのテレビジョン受信機１を遠隔制御する操作用リモコン２とからなっている。この場合、テレビジョン受信機１は、前例のテレビジョン受信機１と同じもので、少なくとも、チューナ３と、映像出力回路４と、音声出力回路５と、制御部６と、リモコン信号受信部７と、音量制御部８と、映像表示部９と、放声器１０と、電源回路１１と、受信アンテナ１２とを備えている。また、操作用リモコン２は、少なくとも消音ボタン１３と最低音量ボタン１４とを備えており、その他に、前例の操作用リモコン２と同じように、図示されていない複数のチャネル選局ボタンや音量調整ボタンや電源開閉ボタン等の各種のボタンを備えている。
【００２８】
そして、本例においても、テレビジョン受信機１において実行される通常の動作、例えば、選局動作、その選局に伴う映像表示部９による映像表示動作及び放声器１０による放音動作等は、この種のテレビジョン受信機で行われているよく知られた動作と同じであるので、ここでもかかる動作についての説明を省略する。
【００２９】
また、このテレビジョン受信機１で実行される操作用リモコン２を用いた放声音量制御動作、この場合、通常（音量）状態で動作しているテレビジョン受信機１を音量最低状態に切替変更させるときの動作について説明する。
【００３０】
図４は、テレビジョン受信機１の放声音量を通常（音量）状態から最低音量状態に、最低音量状態から通常（音量）状態に順次変更させる状態を表わす動作説明図である。
【００３１】
図４に示されるように、テレビジョン受信機１の放声音量を通常状態Ｃ４で放声しているとき、操作用リモコン２にある最低音量ボタン１４を１回操作押圧すると、操作用リモコン２からその操作に対応したリモコン信号が出力される。このときも、テレビジョン受信機１は、リモコン信号受信部７がそのリモコン信号を受けると、そのリモコン信号が制御部６に供給され、それにより制御部６がそのリモコン信号をそれに対応した音声制御信号に変換して音量制御部８に供給するとともに、それに対応した映像付加信号に変換して映像出力回路４に供給する。音量制御部８は、その音声制御信号の供給に対応して音声出力回路５を通過する音声信号レベルをゼロレベルに近いレベルに設定し、テレビジョン受信機１の放声音量を最低音量状態Ｃ５、すなわち音量ゼロに近い最低音量状態Ｃ５に変更させるとともに、映像出力回路４は、その映像付加信号の供給に対応して最低音量状態Ｃ５である旨を示す文字等を表示させる。この場合においても、映像表示部９に表示された最低音量状態Ｃ５である旨を示す文字等は、最低音量状態Ｃ５に設定され続けているときであっても、一定時間だけ表示され、その一定時間が経過すると、自動的に消去される。
【００３２】
この後、テレビジョン受信機１の放声音量が最低音量状態Ｃ５にあるとき、操作用リモコン２にある最低音量ボタン１４をもう１回操作押圧すると、操作用リモコン２からそのときの操作に対応したリモコン信号が出力される。このときも、テレビジョン受信機１は、リモコン信号受信部７がそのリモコン信号を受けると、そのリモコン信号が制御部６に供給され、それにより制御部６がそのリモコン信号をそれに対応した無制御信号に変換して音量制御部８に供給する。音量制御部８は、その無制御信号の供給に対応して音声出力回路５を通過する音声信号レベルに対して外部制御が行われない状態に設定し、テレビジョン受信機１の放声音量を通常状態Ｃ１に復帰変更させる。このとき、映像出力回路４は、映像付加信号が供給されないので、映像表示部９に最低音量状態Ｃ５である旨の表示は行われない。
【００３３】
一方、テレビジョン受信機１の放声音量を通常状態Ｃ４で放声しているとき、操作用リモコン２にある消音ボタン１３を１回操作押圧すると、前例と同じように、操作用リモコン２からその操作に対応したリモコン信号が出力される。このとき、テレビジョン受信機１は、リモコン信号受信部７がそのリモコン信号を受けると、そのリモコン信号が制御部６に供給され、それにより制御部６がそのリモコン信号をそれに対応した音声制御信号に変換して音量制御部８に供給するとともに、それに対応した映像付加信号に変換して映像出力回路４に供給する。音量制御部８は、その音声制御信号の供給に対応して音声出力回路５を通過する音声信号レベルを完全なゼロレベルに設定し、テレビジョン受信機１の放声音量を消音状態Ｃ２に変更させるとともに、映像出力回路４は、その映像付加信号の供給に対応して映像表示部９の一部に消音状態Ｃ２である旨の絵文字または文字を表示させる。
【００３４】
この後、テレビジョン受信機１の放声音量を通常状態Ｃ４に復帰させるためには、通常のこの種のテレビジョン受信機で行われているように、操作用リモコン２にある消音ボタン１３をもう１回操作押圧するか、または、操作用リモコン２にある音量制御ボタンを操作するようにすればよい。
【００３５】
以上のように、本発明によるテレビジョン装置によれば、操作用リモコン２に消音ボタン１３を設け、その消音ボタン１３を操作する度にテレビジョン受信機の音量状態を通常状態→消音状態→最低音量状態→通常状態の順に変化させるようにするか、または、操作用リモコン２に消音ボタン１３及び最低音量ボタン１４を設け、その最低音量ボタン１４を操作する度にテレビジョン受信機の音量状態を通常状態→最低音量状態→通常状態の順に変化させるようにしているので、操作用リモコン２における消音ボタン１３または最低音量ボタン１４のみの操作で最低音量状態の設定及び設定解除状態にすることができ、それによりテレビジョン受信機に内蔵または付属のスピーカから音声出力させずに、外部接続されたＡＶアンプ等に接続配置したスピーカから音声出力を視聴するような場合であっても、テレビジョン受信機の音量を対応するボタン１３または１４の各１回づつの操作により最低音量状態の設定及びその設定の解除状態に変更させることができ、しかも、最低音量状態の設定時にテレビジョン受信機の画像表示面に視聴の妨げとならないような表示を行うようにしているので、テレビジョン視聴における利便性の向上を図ることが可能になる。
【図面の簡単な説明】
【００３６】
【図１】本発明によるテレビジョン装置の第１の実施の形態に係るもので、その要部構成を示すブロック回路図である。
【図２】テレビジョン受信機の放声音量を通常状態から消音状態を経て最低音量状態に、最低音量状態から通常状態に順次変更させる状態を表わす動作説明図である。
【図３】本発明によるテレビジョン装置の第２の実施の形態に係るもので、その要部構成を示すブロック回路図である。
【図４】テレビジョン受信機の放声音量を通常状態から最低音量状態に、最低音量状態から通常状態に順次変更させる状態を表わす動作説明図である。
【図５】既知のテレビジョン受信機において、消音状態になったときその画像表示面に現われる文字や絵文字の一例を示す説明図である。
【符号の説明】
【００３７】
１  テレビジョン受信機
２  操作用リモコン
３  チューナ
４  映像出力回路
５  音声出力回路
５  制御部
７  リモコン信号受信部
８  音量制御部
９  映像表示部
１０  放声器
１１  電源回路
１２  受信アンテナ
１３  消音ボタン
１４  最低音量ボタン
【図１】
2008172528.tif 000003
【図２】
2008172528.tif 000004
【図３】
2008172528.tif 000005
【図４】
2008172528.tif 000006
【図５】
2008172528.tif 000007